(57)【要約】【課題】画像形成装置を下面部を露出させた状態で安定して保持することができ、装置下面部に配設された部品等の修理交換作業の効率を向上させる。【解決手段】画像形成用の各内部機器が配設され、画像形成装置の外枠カバーを支持する画像形成装置用フレーム１において、下面部を露出させて傾けた姿勢としたときに、フレーム１の設置面に密着する傾斜面３５がフレーム１の背面部と下面部の結合部分を切り欠いて設けられ、傾斜面３５が上記設置面に密着して当該フレーム１が傾いた姿勢となっているときに、フレーム１の下面部と上記設置面の間に介在して、フレーム１を上記設置面に対して上記傾いた姿勢で支持する支持部材３６が設けられている。【選択図】        図１１
2004177646.tif 000002
【特許請求の範囲】
【請求項１】
画像形成用の各内部機器が配設され、画像形成装置の外枠カバーを支持する画像形成装置用フレームにおいて、
前記フレームの側面部と下面部との交差辺部分に斜めに切り欠いた傾斜面が形成されたことを特徴とする画像形成装置用フレーム。
【請求項２】
前記傾斜面が画像形成装置の設置面に密着して当該フレームが傾いた姿勢となっているときに、前記下面部と前記設置面の間に介在して、当該フレームを前記設置面に対して前記傾いた姿勢で支持する支持部材が設けられていることを特徴とする請求項１に記載の画像形成装置用フレーム。
【請求項３】
前記傾斜面がフレームの背面部と下面部との間に設けられていることを特徴とする請求項１又は請求項２に記載の画像形成装置用フレーム。
【請求項４】
前記支持部材は、前記傾斜面が前記設置面に密着して画像形成装置が傾いた状態のときに、当該フレーム前面側の下面部から前記設置面に達する長さを有する棒状部材からなり、その一端部が前記下面部に回動自在に取り付けられてフレームに収納可能とされ、他端部が前記設置面に当接してフレームを支持するように構成されていることを特徴とする請求項１乃至請求項３のいずれかに記載の画像形成装置用フレーム。
【請求項５】
前記支持部材が収納されている収納部は、当該フレームが傾斜面を前記設置面に密着させて傾けられた状態となっているときに、設置面に対して略垂直な方向に延びるガイド溝と、このガイド溝が延びる方向と同一方向に延設された延設部とを有し、
前記ガイド溝は、前記支持部材の回動軸を回動可能に軸支すると共に、前記設置面に対して略垂直な方向に案内して、前記支持部材の端部を前記延設部に導くように形成され、
前記延設部の内側壁は、前記支持部材が前記ガイド溝によって導き入れられたときに、前記支持部材の周面に当接して前記支持部材の回動を規制するように形成されていることを特徴とする請求項４に記載の画像形成装置用フレーム。
【請求項６】
前記傾斜面に電源コネクタ配設部を設けたことを特徴とする請求項１乃至請求項５のいずれかに記載の画像形成装置用フレーム。
【請求項７】
冷却ファンの空気排出口の配設部を前記傾斜面に設けたことを特徴とする請求項１乃至請求項６のいずれかに記載の画像形成装置用フレーム。
【請求項８】
請求項１乃至請求項７に記載の画像形成装置用フレームを用いて構成され、
前記画像形成装置用フレームの傾斜面の形状に合わせて切り欠かれた形状の外枠カバーが前記画像形成装置用フレームに配設されてなることを特徴とする画像形成装置。
【発明の詳細な説明】
【０００１】
【発明の属する技術分野】
本発明は、画像形成用の各機器や画像形成装置の外枠カバーを支持する画像形成装置用フレーム及び当該フレームを用いて構成される画像形成装置に関する。
【０００２】
【従来の技術】
コピー機、プリンタ、ファクス等の画像形成装置のメンテナンス時に、その下面部に配設されている機器や部品等を修理又は交換する場合、装置が大型化している今日では、画像形成装置を傾けて下面部を露出させた姿勢に保持するには、複数の作業者によらなければ、画像形成装置を傾けた姿勢に支えることができない。また、１人の作業者によってメンテナンス作業を行う場合は、画像形成装置の下面部を露出させた姿勢で画像形成装置を保持する専用台が必要とされる（例えば、特許文献１参照）。
【０００３】
【特許文献１】
特開平９−４３９２９号公報
【０００４】
【発明が解決しようとする課題】
しかしながら、上記のように複数の作業者によってメンテナンス作業を行うと作業効率が悪く、画像形成装置の維持費が高くなるという問題がある。また、専用台を使用して１人の作業者がメンテナンス作業を行う場合は、メンテナンス作業時に当該専用台を現場まで運搬する必要があり、画像形成装置を傾けた姿勢での保持に更なる安定性が望まれている。
【０００５】
本発明は、上述した問題点を解決するためになされたものであり、画像形成装置を下面部を露出させた状態で安定して保持することができ、装置下面部に配設された部品等の修理交換作業の効率を向上させることができる画像形成装置用フレーム及び画像形成装置を提供することを目的とする。
【０００６】
【課題を解決するための手段】
上記目的を達成するために請求項１に記載の発明は、画像形成用の各内部機器が配設され、画像形成装置の外枠カバーを支持する画像形成装置用フレームにおいて、
前記フレームの側面部と下面部との交差辺部分に斜めに切り欠いた傾斜面が形成されたものである。
【０００７】
この構成によれば、当該フレームをその下面部が露出するように傾けると、傾斜面がフレームの設置面に密着するので、その下面部が露出した状態の傾いた姿勢を保持し易い。また、当該フレーム又は画像形成装置が直立状態となっているときには、傾斜面と設置面との隙間に作業者が手を差し入れることができるので、当該傾斜面を運搬時の取手等として用いることも可能である。
【０００８】
また、請求項２に記載の発明は、請求項１に記載の画像形成装置用フレームであって、前記傾斜面が画像形成装置の設置面に密着して当該フレームが傾いた姿勢となっているときに、前記下面部と前記設置面の間に介在して、当該フレームを前記設置面に対して前記傾いた姿勢で支持する支持部材が設けられている。
【０００９】
この構成によれば、支持部材がフレーム下面部と上記設置面の間に介在してフレームを傾いた姿勢に支持するので、複数の作業者によらなくても、当該フレームに外枠カバーや画像形成用機器が配設された画像形成装置を、その下面部が露出した傾いた姿勢として、安定した状態で簡単に保持することができる。これにより、画像形成装置の下面部に配設された部品等の修理交換作業の効率が向上する。
【００１０】
また、請求項３に記載の発明は、請求項１又は請求項２に記載の画像形成装置用フレームであって、前記傾斜面がフレームの背面部と下面部との間に設けられているものである。
【００１１】
この構成によれば、一般的に装置の背面側を壁面に接近させて設置されることが多い画像形成装置を、その前面側を上方に持ち上げて下面部を露出させ、前面側から下面部のメンテナンス作業が可能となるので、メンテナンス時の作業性が更に優れる。また、装置の前面側に上記傾斜面を設けないため、前方から見た画像形成装置のデザインを損ねることもない。
【００１２】
また、請求項４に記載の発明は、請求項１乃至請求項３のいずれかに記載の画像形成装置用フレームであって、前記支持部材は、前記傾斜面が前記設置面に密着して画像形成装置が傾いた状態のときに、当該フレーム前面側の下面部から前記設置面に達する長さを有する棒状部材からなり、その一端部が前記下面部に回動自在に取り付けられてフレームに収納可能とされ、他端部が前記設置面に当接してフレームを支持するように構成されているものである。
【００１３】
この構成によれば、支持部材の不使用時には保持部材を画像形成装置内に収納しておき、画像形成装置の下面部を露出させる必要がある場合にのみ、支持部材をフレームから取り出して、画像形成装置を傾けた姿勢に保持することができる。
【００１４】
また、請求項５に記載の発明は、請求項４に記載の画像形成装置用フレームであって、前記支持部材が収納されている収納部は、当該フレームが傾斜面を前記設置面に密着させて傾けられた状態となっているときに、設置面に対して略垂直な方向に延びるガイド溝と、このガイド溝が延びる方向と同一方向に延設された延設部とを有し、
前記ガイド溝は、前記支持部材の回動軸を回動可能に軸支すると共に、前記設置面に対して略垂直な方向に案内して、前記支持部材の端部を前記延設部に導くように形成され、
前記延設部の内側壁は、前記支持部材が前記ガイド溝によって導き入れられたときに、前記支持部材の周面に当接して前記支持部材の回動を規制するように形成されているものである。
【００１５】
この構成によれば、当該フレームの傾斜面が上記設置面に密着して当該フレームが傾いた姿勢となっているときに、支持部材を回動させると、支持部材の回動軸がガイド溝に沿って上記設置面に対して略垂直な方向に案内され、支持部材の端部が前記ガイド溝によって導き入れられ、延設部の内側壁が支持部材の周面に当接して支持部材の回動を規制するので、当該フレームの傾斜面が上記設置面に密着して当該フレームが傾いた姿勢となっているときに、支持部材を上記設置面に対して略垂直な姿勢として確実に固定することができ、しかも、簡易な構造でもって当該支持部材の固定を実現することができる。
【００１６】
また、請求項６に記載の発明は、請求項１乃至請求項５のいずれかに記載の画像形成装置用フレームであって、前記傾斜面に電源コネクタ配設部を設けたものである。
【００１７】
この構成によれば、上記傾斜面に電源コネクタ配設部を設けたので、この配設部に配置された電源コネクタに電源コードを接続した場合であっても、電源コードが画像形成装置の外形から突出する量を軽減することができる。これにより、装置の実使用面積のコンパクト化及びデザイン性の向上を図ることができる。
【００１８】
また、請求項７に記載の発明は、請求項１乃至請求項６のいずれかに記載の画像形成装置用フレームであって、冷却ファンの空気排出口の配設部を前記傾斜面に設けたものである。
【００１９】
この構成によれば、冷却ファンの空気排出口の配設部を上記傾斜面に配設したので、画像形成装置の背面部を壁面に密着させて配置する場合であっても、当該空気排出口から壁面までのスペースが大きく確保される。これにより、画像形成装置を壁面に接近して配置することができる。また、当該空気排出口からの排出空気流は画像形成装置の側方の壁面方向ではなく、画像形成装置の斜め下方向に向けて排出されることになるので、画像形成装置の背面部を壁面に密着させて配置した場合における壁面の汚れを防止することができる。
【００２０】
また、請求項８に記載の発明は、請求項１乃至請求項７に記載の画像形成装置用フレームを用いて構成され、
前記画像形成装置用フレームの傾斜面の形状に合わせて切り欠かれた形状の外枠カバーが前記画像形成装置用フレームに配設されてなる画像形成装置である。
【００２１】
この構成によれば、当該フレームをその下面部が露出するように傾けると、傾斜面がフレームの設置面に密着すると共に、支持部材がフレーム下面部と上記設置面の間に介在してフレームを傾いた姿勢に支持するので、当該フレームに外枠カバーや画像形成用機器が配設された画像形成装置を、複数の作業者によらなくても、その下面部が露出した傾いた姿勢として、安定した状態で簡単に保持することができる。これにより、画像形成装置の下面部に配設された部品等の修理交換作業の効率が向上する。また、当該フレーム又は画像形成装置の運搬時等には作業者が傾斜面に手を差し入れることができるので、当該傾斜面を運搬時の取手等として用いることも可能である。
【００２２】
【発明の実施の形態】
以下、本発明の一実施形態に係る画像形成装置用フレーム及び画像形成装置について図面を参照して説明する。図１は本発明に係る画像形成装置用フレームを用いて構成された画像形成装置の外観構成を示す斜視図である。図１に示す複写機（画像形成装置の一例）１０の外形は、本体ハウジング１００とその上部に載置された上ハウジング１０１で区画されている。本体ハウジング１００と上ハウジング１０１の中間部には右側側面から略水平方向に内側に入り込んだ用紙スタック空間部１０２が形成されている。この用紙スタック空間部１０２は、本体ハウジング１００から横方向に排出される用紙を受け取るものである。さらに、本体ハウジング１００の側部には、本体ハウジング１００の外側へ排出される用紙を積載するためのシートトレイ１０３が設けられている。
【００２３】
上ハウジング１０１は原稿画像を読み取るために原稿を画像読取り位置に搬送する原稿搬送部２００と、画像読取り位置において原稿を露光走査して画像読取りする原稿読取り部とを有している。さらに本体ハウジング１００は、用紙の給紙部と、用紙上にトナー画像を形成する感光体ドラム及び現像部等と、用紙上のトナー画像を定着するための定着部を内蔵した下ハウジング１０４と、定着後の用紙を搬送して用紙スタック空間部１０２又はシートトレイ１０３に排出するための用紙搬送路を内蔵した連結ハウジング１０５で区画されている。本体ハウジング１００の前面下部には、記録紙が収容される給紙カセット１０６が手前側から奥行き方向に引き出し自在に取り付けられている。
【００２４】
また、下ハウジング１０４の背面部の下端部分には、後述する画像形成装置用フレームの傾斜面の形状に合わせた切り欠き切欠部１０８が形成されている。この切欠部１０８は、複写機１０をその下面部が露出するように前面側を持ち上げて傾けたときに、当該切欠部１０８が複写機１０が設置されている面に密着するようになっている。
【００２５】
次に、画像形成装置用フレームについて説明する。図２は本発明に係る画像形成装置用フレームを前方斜め上から見た斜視図、図３は画像形成装置用フレームを前方斜め上から図２とは角度を変えて見た斜視図、図４は画像形成装置用フレームを後方斜め上から見た斜視図、図５は画像形成装置用フレームを後方斜め上から図４とは角度を変えて見た斜視図である。図６は画像形成装置用フレームの正面図、図７及び図８は画像形成装置用フレームの側面図である。画像形成装置用フレーム（以下、フレーム）１は、合成樹脂等からなり、複写機１０の外枠カバーや画像形成用の内部機器等を支持する複数の支持部材２１，２３，２４，２５が上部に形成され、フレーム１を設置面に直立させるベース部３が下部に形成されている。
【００２６】
ベース部３は、水平方向に延びて上面に支持部材２１等が形成されているベース部材３１と、ベース部材３１下部の両側端から下方に延びるように形成され、フレーム１を直立させる脚部３２１，３２２とからなる。ベース部材３１及び脚部３２によって形成されるフレーム１前面部の開口部は、給紙カセット１０６（図１）が前後方向に引き出し自在に取り付けられる給紙カセット取付部３３である。
【００２７】
図２において、ベース部材３１の上面には、フレーム１前面の左側部に支持部材２１、フレーム１前面の右側部に支持部材２３、前部に平板状の支持部材２４、後部に平板状の支持部材２５が形成されている。支持部材２１及び２３の前側面には、本体ハウジング１００の前面部にあたる外枠カバーが取り付けられる。また、支持部材２３及び脚部３２２の右側面には、本体ハウジング１００の右側面にあたる外枠カバーが取り付けられる。支持部材２１及び脚部３２１の左側面には、本体ハウジング１００の左側面にあたる外枠カバーが取り付けられる。フレーム１の前後面に形成されている支持部材２４，２５は、その両側に画像形成用の内部機器が配設される。なお、本体ハウジング１００の後側面にあたる外枠カバーは、フレーム１のベース部３の後側面に取り付けられる。
【００２８】
フレーム１の側部（図２及び図３では左側部）には、給紙カセット１０６から出て作像ユニットを通過した記録紙を定着ユニットに搬送する搬送ユニットを配置するための搬送ユニット配置部２７が形成されている。
【００２９】
支持部材２１の上部には、連結ハウジング１０５にあたる外枠カバーが取り付けられる。支持部材２３の上部には、用紙スタック空間部１０２にあたる外枠カバーが取り付けられる。
【００３０】
フレーム１の後面側の支持部材２５には、上方に突出した形状の突部２５１が設けられている。この突部２５１の先端は、支持部材２１，２３の上部先端と仮想的に平面を形成するように高さ設定がされている（すなわち、突部２５１の上部先端部は、支持部材２１，２３の上部先端とが略同一平面上となるように高さが設定されている）。
【００３１】
突部２５１の上端部は、支持部材２３の先端の高さよりも低く設定されている。さらに、突部２５１は、その先端の上面部全体が、支持部材２１，２３の先端とで形成される略同一平面上にあるように形成されている。
【００３２】
また、フレーム１の背面部（側面部の一部）と下面部の結合部分（交差辺部分）には、当該結合部分を斜めに切り欠いた平面状の傾斜面３５が形成されている。この傾斜面３５は、フレーム１の前面部を上方に持ち上げて、フレーム１の下面が露出するように傾けた姿勢としたときにフレーム１の設置面に密着するようになっている。
【００３３】
さらに、フレーム１には、傾斜面３５がフレーム１の設置面に密着してフレーム１が傾いた姿勢となっているときに、フレーム１の前面部の下面と上記設置面の間に介在して、フレーム１を下面が露出した上記傾いた姿勢に支持する支持部材（後述の図１１参照）が設けられている。詳細は後述するが、この支持部材は、その一端部がフレーム１の下面に回動自在に取り付けられてフレーム１に収納可能に設けられ、支持部材をフレーム１から出した状態で他端部が上記設置面に当接してフレーム１を上記傾いた姿勢に支持する。
【００３４】
次に、フレーム１に対する画像形成用機器の配置について説明する。図９はフレーム１に対する画像形成用の主な内部機器の配置を模式的に示す側面図である。フレーム１には、その前方から見て、ベース部３の中央部から左に寄った位置には作像ユニット５１が配設され、その左側方には作像ユニット５１を通過した記録紙を定着ユニット５２に向けて搬送する搬送ユニット５３が配設される。
【００３５】
搬送ユニット５３の上方には、記録紙に転写されたトナー画像を記録紙に定着させる定着ユニット５２が配設される。この定着ユニット５２は、本体ハウジング１００の上ハウジング１０１と下ハウジング１０２とを繋ぐ連結ハウジング１０５（図１参照）の内部に収められる。定着ユニット５２の側方には、定着ユニット５２を通過した記録紙を用紙スタック空間部１０２に排出する排出ユニット５５が配設される。原稿画像を読み取るスキャナ等からなる光学ユニット５６は、定着ユニット５２及び排出ユニット５５上方の上ハウジング１０１内に収められる。
【００３６】
突部２５１の先端高さは、例えば、ベース部３に配置された作像ユニット５１の上部と略同じ高さとされ、フレーム１に本体ハウジング１００を取り付けたときに、用紙スタック空間部１０２の形成に支障を及ぼさないように設定されている。また、突部２５１は、フレーム１に対して上記各作像ユニット５１，定着ユニット５２，搬送ユニット５３，排出ユニット５５を配設しても支障を生じない位置に配置されている。
【００３７】
図１０はフレーム１を天地逆向きに設置した状態を示す背面図である。上記のようにフレーム１は、その下部の給紙カセット取付部３３に給紙カセット１０６が取り付けられ、支持部材２１，２３には側方から外枠カバーが取り付けられ、支持部材２１乃至２５の内部には上方及び側方から画像形成用の内部機器が配設され、支持部材２１，２３の上部には連結ハウジング１０５や用紙スタック空間部１０２となる外枠カバー等が取り付けられる。よって、フレーム１には、多方向から多種類の部品が装填されるので、これらの組立時にはフレーム１を天地逆向き等の姿勢に保持した状態として各部品を組み付ける必要がある。
【００３８】
この画像形成装置用フレーム１は、支持部材２１，２３の各先端と突部２５１の先端とが略同一平面をなすように高さ設定がされているので、図１０に示すように、画像形成装置用フレーム１を天地逆向きにした場合であっても、支持部材２１と支持部材２３と突部２５１の各先端が設置面に当接して立つ。このようにフレーム１は、姿勢保持用治具等を用いなくても、天地逆向きの状態で安定した姿勢に保持される。
【００３９】
また、突部２５１の先端は、その上面全体が設置面に当接するように設定されているので、支持部材２１，２３の先端が設置面に接する面積が小さくても、フレーム１を天地逆向きに設置した姿勢がより安定する。
【００４０】
次に、フレーム１の下面に設けられている上記支持部材について説明する。図１１は、支持部材によってフレーム１を下面部が露出した姿勢に支持した状態を示す側面図である。支持部材３６は棒状の部材からなり、複写機１０の前面部が上方に持ち上げられて、切欠部１０８が複写機１０の設置面に密着した状態で複写機１０が傾いた状態となっているときにおける、当該フレーム１前面側の下面から上記設置面までの長さを有する。
【００４１】
支持部材３６の一端部はフレーム１の下面に回動自在に取り付けられており、支持部材３６の一端部を回動軸として、フレーム１の下面に対する接離方向に回動可能に取り付けられている。フレーム１の下面には、支持部材３６の外形に合わせた収納部が設けられており、支持部材３６が収納されるようになっている。なお、収納部には支持部材３６全体が収納されることが好ましいが、図１１に示すように、支持部材３６の一部がフレーム１の下面から突出する場合には、フレーム１の下面から突出する支持部材３６が、フレーム１の下部に設けられている設置面との各当接部３８よりも突出しないように設定する。
【００４２】
支持部材３６の一端部に設けられている回動軸は、例えば、支持部材３６の一端部の長さ方向に直交するように貫通穴を設け、この貫通穴に軸部材３６３を遊嵌させ、支持部材３６の周面から突出した軸部材３６３の両端部をフレーム１下面の収納部内に取り付けること等で構成される。
【００４３】
支持部材３６の他端部は、設置面との当接面積を増大して複写機１０を安定して支持するために、支持部材３６の軸部３６１よりも面積の大きい形状とされた底部３６２が形成されている。
【００４４】
支持部材３６は、フレーム１に外枠カバーや画像形成用機器を取り付けて複写機１０が完成された状態で、複写機１０の前面側を上方に持ち上げて切欠部１０８が設置面に密着するように傾けたときに、複写機１０の下面と設置面の間に介在して、複写機１０の重さに耐えて複写機１０を支持し得る強度を有する素材（例えば、鉄等）からなる。
【００４５】
支持部材３６は、複写機１０を安定して支持できるように、フレーム１（複写機１０）の前面の略中心部の下部に取り付けられる。なお、支持部材３６は、フレーム１（複写機１０）の前面の両端部にそれぞれ設けるようにしてもよいし、さらには、フレーム１前面の略中心部及び両端部等にそれぞれ支持部材３６を取り付けるようにしてもよい。これらの場合には、全ての支持部材３６によって得られる強度が複写機１０の重さに耐え得る強度を有していればよい。
【００４６】
支持部材３６による複写機１０の支持について説明する。支持部材３６は、普段はフレーム１下面の収納部に収納されている。複写機１０の下面の部品修理及び交換等のメンテナンス作業を行う場合等、複写機１０の前面を上方に持ち上げ、切欠部１０８が複写機１０の設置面に密着した状態となった時等に、支持部材３６が回動されて収納部から取り出される。そして、複写機１０の設置面に略垂直となる位置まで回動され、この状態で複写機１０の前面が下ろされ、支持部材３６の底部３６２の下面と設置面とが密着した状態とされる。これにより、複写機１０が設置面に対して傾けられ、その下面を露出させた状態で安定して保持される。
【００４７】
支持部材３６は、上記実施の形態の構成に限られず種々の変形が可能である。例えば、支持部材３６がフレーム１には繋ぎ止められておらず、フレーム１とは別個独立した部材とされていてもよい。
【００４８】
例えば、支持部材３６の一端部にネジ溝が形成され、他端部は上記と同様の底部が形成されるようにする。フレーム１下面の収納部には、支持部材３６のネジ溝に対応した形状のネジ穴が設けられる。支持部材３６は、普段はフレーム１下面の収納部に収納されており、複写機１０を上記傾いた姿勢で支持する場合に、収納部から取り出され、ネジ溝が形成されている方の端部が、フレーム１に設けられているネジ穴にねじ込まれて固定されるようにする。フレーム１のネジ穴は、切欠部１０８が設置面に密着されて複写機１０が傾いた状態となっているときに（傾斜面３５が設置面に密着されてフレーム１が傾いた状態となっているときに）、支持部材３６の端部のネジ溝をフレーム１のネジ穴にねじ込むと、支持部材３６が、複写機１０の設置面に対して略垂直な姿勢でフレーム１に固定されるように設定されている。
【００４９】
また、フレーム１の下面に支持部材３６の端部の形状に合わせた形状の凹部を設けておき、複写機１０を上記傾いた姿勢で支持する場合に、支持部材３６がフレーム１下面の収納部から取り出され、端部が凹部に挿し込まれることによってフレーム１に固定されるようにしてもよい。この場合も、支持部材３６の他端部には上記底部が設けられる。また、切欠部１０８が設置面に密着されて複写機１０が傾いた状態となっているときに（傾斜面３５が設置面に密着されてフレーム１が傾いた状態となっているときに）、支持部材３６の端部が凹部に挿し込まれると、支持部材３６が複写機１０の設置面に対して略垂直な姿勢でフレーム１に固定されるように設定されている。
【００５０】
次に、フレーム１の他の実施形態を説明する。図１２及び図１３はフレーム１の他の実施形態を示す側面図である。上述したように、フレーム１の背面部には傾斜面３５が設けられているが、図１２に示すように、この傾斜面３５に、電源コード６０が接続される電源コネクタを配設するための配設部６１を設けてもよい。このような電源コネクタ配設部６１を傾斜面３５に設けた場合は、複写機１０の電源コネクタに電源コード６０を接続したときに、複写機１０（フレーム１）から電源コード６０が突出する量を、複写機１０の切欠部１０８内に収めることも可能となる。これにより、複写機１０の外形から電源コード６０が突出する量が少なくなるので、複写機１０の実使用面積のコンパクト化が図れ、設置場所の自由度も広がる。
【００５１】
また、図１３に示すように、傾斜面３５に、複写機１０の内部機器を冷却する冷却ファンの空気排出口（ルーバ）を配設するための配設部６２を設けてもよい。この場合には、この配設部に空気排出口が設けられ、ここから冷却ファンの排気が行われるので、複写機１０の背面部を壁に密着させて配置する場合でも、当該空気排出口から壁面までのスペースが大きく確保される。これにより、複写機１０を壁に接近させて配置した場合における冷却ファンの排気効率が向上する。また、当該空気排出口からの排出空気流は、複写機１０側方の壁面方向ではなく、複写機１０の斜め下方向に排出されるので、複写機１０の背面部を壁面に密着させて配置した場合であっても、壁面の汚れを防止することができる。
【００５２】
なお、本発明は上記実施の形態の構成に限られず種々の変形が可能である。図１４はフレーム１の他の実施形態を示す図であり、支持部材３６のフレーム１への取付部を拡大して示す側面図である。フレーム１の下面に設けられている収納部３９には、支持部材３６の回動軸として機能する軸部材３６３を、回動及びスライド移動可能に軸支する長孔（ガイド溝）３９２を形成してもよい。この長孔３９２は、複写機１０が切欠部１０８を設置面に密着させて傾けられた状態で（フレーム１が傾斜面３５を設置面に密接させて傾けられた状態で）、設置面に対して略垂直な方向に延びるように形成されている。一方、収納部３９は、長孔３９２が延びる方向と同一方向に上方へ延設されている。
【００５３】
支持部材３６が収納部３９に収納されている状態（図１４に実線で示す状態）では、支持部材３６の軸部材３６３は長孔３９２の下端部に当接するようになっている。複写機１０が切欠部１０８を設置面に密着させて傾けられ（複写機１０が下面を露出した状態）、この状態で支持部材３６が回動され、複写機１０の設置面に略垂直な状態とされたときに、支持部材３６の軸部材３６３が長孔３９２に沿って上方に移動可能となっている。長孔３９２に沿った軸部材３６３の上方への移動に伴って、支持部材３６の上端部が収納部３９の延設部３９５に進入する。支持部材３６の軸部材３６３が長孔３９２の上端に当接することによって支持部材３６の上方への移動が規制される。この状態において、収納部３９の延設部３９５の内側壁３９１は、支持部材３６の側部に当接するように設定されている。これにより、支持部材３６のフレーム１下面からの接離方向における回動が規制される。従って、支持部材３６は、複写機１０が切欠部１０８を設置面に密着させて傾けられた状態（複写機１０が下面を露出した状態）で、複写機１０の設置面に対して略垂直な姿勢に固定されるようになっている。
【００５４】
また、上記実施の形態では、フレーム１の傾斜面３５は、フレーム１の背面部及び下面部の結合部分を切り欠いて形成されているが、当該部分以外の箇所に設けてもよい。例えば、フレーム１の左右側面部の一方と下面部との結合部分に、この結合部分を切り欠いて傾斜面を形成してもよい。この場合には、当該傾斜面が形成されている側面部とは反対側の側面部の下面に支持部材３６が取り付けられ、複写機１０（フレーム１）の下面部と設置面との間に介在して、複写機１０が傾いた姿勢で支持されるようにする。
【００５５】
さらには、フレーム１の側面部の両方と下面部の各結合部分を切り欠いて傾斜面を複数形成してもよい。この場合は、どの切欠部（傾斜面）を複写機１０の設置面に密接させて複写機１０を傾けた場合でも、その傾けた姿勢を保持できるように、フレーム１の両側面のいずれの下面にも支持部材３６が取り付け可能となるようにするとよい。
【００５６】
【発明の効果】
以上のように請求項１に記載の発明によれば、当該フレームをその下面部が露出するように傾けると、傾斜面がフレームの設置面に密着するので、その下面部が露出した状態の傾いた姿勢を保持し易い。また、当該フレーム又は画像形成装置が直立状態となっているときに、傾斜面と設置面との隙間に作業者が手を差し入れることができるので、当該傾斜面を運搬時の取手等として用いることも可能である。
【００５７】
また、請求項２に記載の発明によれば、支持部材がフレーム下面部と上記設置面の間に介在してフレームを傾いた姿勢に支持するので、複数の作業者によらなくても、当該フレームに外枠カバーや画像形成用機器が配設された画像形成装置を、その下面部が露出した傾いた姿勢として、安定した状態で簡単に保持することができる。これにより、画像形成装置の下面部に配設された部品等の修理交換作業の効率が向上する。
【００５８】
また、請求項３に記載の発明によれば、一般的に装置の背面側を壁面に接近させて設置されることが多い画像形成装置を、その前面側を上方に持ち上げて下面部を露出させ、前面側から下面部のメンテナンス作業が可能となるので、メンテナンス時の作業性に更に優れる。また、装置の前面側に上記傾斜面を設けないため、前方から見た画像形成装置のデザインを損ねることもない。
【００５９】
また、請求項４に記載の発明によれば、支持部材の不使用時には保持部材を画像形成装置内に収納しておき、画像形成装置の下面部を露出させる必要がある場合にのみ、支持部材をフレームから取り出して、画像形成装置を傾けた姿勢に保持することができる。
【００６０】
また、請求項５に記載の発明によれば、当該フレームの傾斜面が上記設置面に密着して当該フレームが傾いた姿勢となっているときに、支持部材を回動させると、支持部材の回動軸がガイド溝に沿って上記設置面に対して略垂直な方向に案内され、支持部材の端部が前記ガイド溝によって導き入れられ、延設部の内側壁が支持部材の周面に当接して支持部材の回動を規制するので、当該フレームの傾斜面が上記設置面に密着して当該フレームが傾いた姿勢となっているときに、支持部材を上記設置面に対して略垂直な姿勢として確実に固定することができ、しかも、簡易な構造でもって当該支持部材の固定を実現することができる。
【００６１】
また、請求項６に記載の発明によれば、上記傾斜面に電源コネクタ配設部を設けたので、この配設部に配置された電源コネクタに電源コードを接続した場合であっても、電源コードが画像形成装置の外形から突出する量を軽減することができる。これにより、装置の実使用面積のコンパクト化及びデザイン性の向上を図ることができる。
【００６２】
また、請求項７に記載の発明によれば、冷却ファンの空気排出口の配設部を上記傾斜面に配設したので、画像形成装置の背面部を壁面に密着させて配置する場合であっても、当該空気排出口から壁面までのスペースが大きく確保される。これにより、画像形成装置を壁面に接近して配置することができる。また、当該空気排出口からの排出空気流は画像形成装置の側方の壁面方向ではなく、画像形成装置の斜め下方向に向けて排出されることになるので、画像形成装置の背面部を壁面に密着させて配置した場合における壁面の汚れを防止することができる。
【００６３】
また、請求項８に記載の発明によれば、当該フレームをその下面部が露出するように傾けると、傾斜面がフレームの設置面に密着すると共に、支持部材がフレーム下面部と上記設置面の間に介在してフレームを傾いた姿勢に支持するので、当該フレームに外枠カバーや画像形成用機器が配設された画像形成装置を、複数の作業者によらなくても、その下面部が露出した傾いた姿勢として、安定した状態で簡単に保持することができる。これにより、画像形成装置の下面部に配設された部品等の修理交換作業の効率が向上する。また、当該フレーム又は画像形成装置の運搬時等には作業者が傾斜面に手を差し入れることができるので、当該傾斜面を運搬時の取手等として用いることも可能である。
【図面の簡単な説明】
【図１】本発明に係る画像形成装置用フレームが適用された複写機の外観構成を示す斜視図である。
【図２】本発明に係る画像形成装置用フレームを前方斜め上から見た斜視図である。
【図３】画像形成装置用フレームを前方斜め上から図２とは角度を変えて見た斜視図である。
【図４】画像形成装置用フレームを後方斜め上から見た斜視図である。
【図５】画像形成装置用フレームを後方斜め上から図４とは角度を変えて見た斜視図である。
【図６】画像形成装置用フレームの正面図である。
【図７】画像形成装置用フレームの側面図である。
【図８】画像形成装置用フレームの側面図である。
【図９】画像形成装置用フレームに対する画像形成用の主な内部機器の配置を模式的に示す側面図である。
【図１０】画像形成装置用フレームを天地逆向きに設置した状態を示す背面図である。
【図１１】支持部材によってフレームを下面部が露出した姿勢に支持した状態を示す側面図である。
【図１２】本発明に係る画像形成装置用フレームの他の実施形態を示す側面図である。
【図１３】本発明に係る画像形成装置用フレームの他の実施形態を示す側面図である。
【図１４】本発明に係る画像形成装置用フレームの他の実施形態を示す図であり、支持部材の当該フレームへの取付部を拡大して示す側面図である。
【符号の説明】
１      画像形成装置用フレーム
１０    複写機
３５    傾斜面
３６    支持部材
３６１  軸部
３６２  底部
３９    側壁
６０    電源コード
１０８  切欠部
【図１】
2004177646.tif 000003
【図２】
2004177646.tif 000004
【図３】
2004177646.tif 000005
【図４】
2004177646.tif 000006
【図５】
2004177646.tif 000007
【図６】
2004177646.tif 000008
【図７】
2004177646.tif 000009
【図８】
2004177646.tif 000010
【図９】
2004177646.tif 000011
【図１０】
2004177646.tif 000012
【図１１】
2004177646.tif 000013
【図１２】
2004177646.tif 000014
【図１３】
2004177646.tif 000015
【図１４】
2004177646.tif 000016